(57)【要約】      （修正有）【課題】分別廃棄のために分解を要するごみを収容しやすい分別収集用ごみ箱を提供する。【解決手段】ごみ収容部を上下２段に設け、上段のごみ収容部はごみ箱上部に設けた第１ごみ容器１に対し蓋体１０を回動自在に設けるとともに、下段のごみ収容部２０はごみ箱の壁面に設けた開口２１からごみ箱内に対して第２ごみ容器２２を着脱自在に配した分別収集用ごみ箱において、蓋体をごみ箱後端を枢支部として回動自在に設けるとともに、蓋体の前方に第２ごみ投入口１７を設け、第２ごみ投入口を閉塞するためのフラップ板１２を、蓋体の下方に向かって回動自在に設ける。蓋体が閉止状態であっても、第２ごみ投入口から第１ごみ容器にごみを投入できるので、蓋体にごみを載せた状態でごみの分解および分別廃棄作業を行うことが可能となる。【選択図】図１
0003226577.tif 000002
【実用新案登録請求の範囲】
【請求項１】
ごみ収容部を上下２段に設け、上段のごみ収容部はごみ箱上部に設けた第１ごみ容器に対し蓋体を回動自在に設けるとともに、下段のごみ収容部はごみ箱の壁面に設けた開口からごみ箱内に対して第２ごみ容器を着脱自在に配した分別収集用ごみ箱において、蓋体をごみ箱後端を枢支部として回動自在に設けるとともに、蓋体の前方に第２ごみ投入口を設け、上記第２ごみ投入口を閉塞するためのフラップ板を、蓋体の下方に向かって回動自在に設けたことを特徴とする分別収集用ごみ箱。
【請求項２】
第２ごみ投入口を閉塞する蓋体は回動端が蓋体の後方を向くように、枢支部を蓋体の前方に設けた請求項１記載の分別収集用ごみ箱。
【請求項３】
第２ごみ容器は前方下端をごみ箱の本体に掛止することにより、ごみの投入に際して前方下端を軸としてごみ箱の本体に対して前傾させてごみ投入開口をごみ箱の本体から突出させることができる請求項１または２記載の分別収集用ごみ箱。
【考案の詳細な説明】
【技術分野】
【０００１】
本願考案は、分別収集用ごみ箱の改良創作に関する。
【背景技術】
【０００２】
ごみが分別収集されることは現代の常識であり、それに対応した分別収容を可能とするごみ箱が望まれている。このようなごみ箱自体は複数個のごみ容器を設けることにより実現できるものであり、例えば、ごみ収容部を上下２段に設け、ごみ箱上部に設けた第１ごみ容器に対し蓋板を回動自在に設けると共に、第２ごみ容器をごみ箱の壁面下方に設けた開口からごみ箱内に対して着脱自在に配したごみ箱が公知である（特許文献１）。
【特許文献１】特開２００２−１６７００１号公報
【考案の開示】
【考案が解決しようとする課題】
【０００３】
前記のごみ箱は例えばペットボトルを例にとると、ボトル本体はごみ箱の下方のごみ収容部に、ボトル本体から取り除いた包装フィルムはごみ箱の上方のごみ収容部に収容し、キャップは別途保管のための容器に移す。また、それぞれが例えぱプラスチックと金属などの異なる分別材料で構成されているごみ（廃棄物）の場合は、それぞれに分解して異なる収容部に収容する。
【０００４】
前記から明らかなように分別廃棄にあたってはごみをまず分解する作業が必要になる。      
【０００５】
前記作業はごみが一つの場合は、片手でごみを持ち、もう片手で分解して、分解したごみの構成片を順次異なる収容部に収容することになるが、上段の収容部も下段の収容部もその都度手で開放する作業が必要となるので廃棄作業をやりにくい問題があった。
【０００６】
一方、複数のごみを同時に廃棄する場合は、分解作業の間はその他のごみはどこかに置いておかなかればならないが、ごみ箱が単独設置されている場合はその場所がなく、また、すぐそばに調理台や家具がある場合でも、汚れたごみをそれらに置くことは不衛生だった。
【課題を解決するための手段】
【０００７】
本願考案は以上の従来技術の問題点を解消した分別収集用ごみ箱を提供することを目的として創作されたものであり、ごみ収容部を上下２段に設け、上段のごみ収容部はごみ箱上部に設けた第１ごみ容器に対し蓋体を回動自在に設けるとともに、下段のごみ収容部はごみ箱の壁面に設けた開口からごみ箱内に対して第２ごみ容器を着脱自在に配した分別収集用ごみ箱において、蓋体をごみ箱後端を枢支部として回動自在に設けるとともに、蓋体の前方に第２ごみ投入口を設け、上記第２ごみ投入口を閉塞するためのフラップ板を、蓋体の下方に向かって回動自在に設けたことを特徴とすることを特徴とする。
【０００８】
また、請求項２に係る分別収集用ごみ箱は、第２ごみ投入口を閉塞する蓋体は回動端が蓋体の後方を向くように、枢支部を蓋体の前方に設けたことを特徴とする。
【０００９】
また、請求項３に係る分別収集用ごみ箱は、第２ごみ容器は前方下端をごみ箱の本体に掛止することにより、ごみの投入に際して前方下端を軸としてごみ箱の本体に対して前傾させてごみ投入開口をごみ箱の本体から突出させることができることを特徴とする。
【考案の効果】
【００１０】
本願考案の分別収集用ごみ箱によれば、蓋体の閉止状態であっても、蓋体に設けた第２ごみ投入口から第１ごみ容器にごみを投入できるので、上下２段のごみ収容部を有することにより分別収集が可能なごみ箱でありながら、閉止状態の蓋体にごみを載せた状態でごみの分解および分別廃棄作業を行うことが可能となる。
【００１１】
この場合、第２ごみ投入口を閉塞するフラップ板は蓋体の下方に向かって回動自在に設けるとともに、閉塞方向の付勢力を与えているので、付勢力に抗して押し下げればワンタッチで開放することができ、ごみを持った手でそのままフラップ板を開放してごみを捨てることが可能な効果も得られる。
【００１２】
前記の場合、第１ごみ容器の蓋体はそれ自身で全開できるので、大きなごみの投入にも支障はない。
【図面の簡単な説明】
【００１３】
【図１】本願考案のごみ箱の断面図。
【図２】同上、平面図。
【図３】同上、蓋体の要部の底面図。
【図４】同上、上段のごみ収容部箇所の蓋体を開放した状態の斜視図。
【図５】同上、上段のごみ収容部箇所の第２ごみ投入口を開放した状態の斜視図。
【図６】同上、側面図
【図７】同上、正面図
【考案を実施するための最良の形態】
【００１４】
以下、本願考案の分別収集用ごみ箱の具体的実施例を添付図面に基づいて説明する。本願考案の分別収集用ごみ箱はごみ収容部を上下２段に設け、上段のごみ収容部は上方をごみ投入口２として開口した断面矩形の有底の容器状の第１ごみ容器１からなり、下段のごみ収容部２０はごみ箱の壁面に設けた開口２１からごみ箱内に対して第２ごみ容器２２を着脱自在に配した構成よりなる。
【００１５】
前記の上段のごみ収容部を構成する第１ごみ容器１はごみ投入口２に対し蓋体１０が回動自在に設けられる。蓋体１０はごみ投入口２端に枢支部１１をもって開閉するように設けられるものであり、使用者において直接蓋体の端を持って開閉する。
【００１６】
図中符号１７は前記の第１ごみ容器１の蓋体１０に設けられる第２ごみ投入口であり、ここでは蓋体１０の前方３分の１の領域内に開口している。上記第２ごみ投入口１７は蓋体１０の裏側に位置するフラップ板１２により閉塞される。
【００１７】
前記フラップ板１２は枢支部をもって蓋体の下方に向かって回動自在に設けられるが、ここでは枢支部を蓋体の前方に設け、フラップ板の回動端が蓋体の後方を向くようにしている。こうすることにより、フラップ板はごみ箱の前方を軸としてごみ箱の中央寄りに開くので、投入したごみがごみ箱本体の手前に偏ることが防止される。
【００１８】
前記の枢支部は、フラップ板１２の前端に突設した軸座１４、１４の両端から突設した軸１５、１５を蓋体１０の前方裏面に突設した軸受座１３、１３の軸孔に軸通することにより構成される（図３参照）。
【００１９】
図中符号１６、１６は、フラップ板１２に第２ごみ投入口の閉塞方向の付勢力を与えるためのねじりコイルバネである。このねじりコイルバネ１６、１６はコイル部が前記軸１５、１５に外挿され、一端を蓋体１０の裏面に、他端をフラップ板１２の裏面に当接させることによりフラップ板に蓋体方向に回動しようとする付勢力を与えている。
【００２０】
下段のごみ収容部２０はごみ箱の壁面に設けた開口２１からごみ箱内に対して第２ごみ容器２２を着脱自在に配することにより構成される。
【００２１】
第２ごみ容器２２は上方をごみ投入口として開口した容器状のものであり、ごみ箱の底板に載置される。上記第２ごみ容器２２は前方下端をごみ箱の本体に掛止することにより、図１に示すように、ごみの投入に際して前方下端を軸２３としてごみ箱の本体に対して前傾させてごみ投入開口をごみ箱の本体から突出させることができる。
【符号の説明】
【００２２】
１        第１ごみ容器
２        ごみ投入口
１０        蓋体    
１２        フラップ板
１３        軸受座
１４        軸座    
１５        軸
１６        ねじりコイルバネ    
１７        第２ごみ投入口
２０        下段のごみ収容部    
２１        開口
２２        第２ごみ容器    
２３        軸    
【図１】
0003226577.tif 000003
【図２】
0003226577.tif 000004
【図３】
0003226577.tif 000005
【図４】
0003226577.tif 000006
【図５】
0003226577.tif 000007
【図６】
0003226577.tif 000008
【図７】
0003226577.tif 000009